(57)【要約】      （修正有）【課題】コードが摩耗して短くなった場合、コードが自動的に引出されてコードの長さを適度に保つことができるロータリカッタの提供。【解決手段】コード４により刈り払いを行なうロータリカッタにおいて、ロータリカッタの回転中に、外方に導出されているコード４が摩耗して短くなると、遠心力により前記ストッパー５と上カム３−１との係合が外れてリール３が回転してコード４が引出される仕組みとなし、さらに継続して回転するリール４の下カム３−２と係合するストッパー５の一端により当該ストッパー５が径方向に移動させられリール３の一定回転後、上カム３−１とストッパー５の一端が再び係合してリール３の回転を阻止する仕組みとした。【選択図】図２
2007312769.tif 000002
【特許請求の範囲】
【請求項１】
回転して草等の刈払いを行なうコードと、該コードを収納しかつ間欠回動しながら該コードを繰り出すリールと、該リールを収納するケースおよび該ケースを覆うカバーとからなり、前記リール外に導出されたコードにより刈り払いを行なうロータリカッタにおいて、前記リールの上段と下段にそれぞれ上カム、下カムが設けられ、該リールの直径とほぼ同じ長さの略Ｕ字形のストッパーが前記ケースの底部中央に径方向にスライド可能に、かつ当該ストッパーの一端は前記上カムに係合してリールの回転を阻止し、同他端は前記下カムに係合して当該ストッパーを径方向に移動させるごとく組込まれ、前記リールに巻回されたコードの一端は前記ストッパーの外側から係合しコードガイドを介して該ロータリカッタの外方に導出され、コードの他端は前記ストッパーに関わりなく該ロータリカッタの外方に導出され、該ロータリカッタの回転中に、外方に導出されているコードが摩耗して短くなると、遠心力により前記ストッパーの一端と上カムとの係合が外れてリールが回転してコードが繰り出される仕組みとなし、さらに継続して回転するリールの下カムと係合するストッパーの一端により当該ストッパーが径方向に移動させられリールの一定回転後、上カムとストッパーの一端が再び係合してリールの回転を阻止する仕組みとなしたことを特徴とする刈払い機用ロータリカッタ。
【請求項２】
前記ストッパーに対して付与されるコードの押圧力を補助するための弾性体を、前記ストッパーに対し常時径方向の押圧力が付与されるように該ロータリカッタ内部に設けたことを特徴とする請求項１に記載の刈払い機用ロータリカッタ。
【請求項３】
前記弾性体を用いて前記ストッパーによるコードの押圧力を付与する手段として、前記上カムに係合してリールの回転を阻止する側のケース内壁とストッパーとの間に弾性体を配置する方式を用いることを特徴とする請求項２に記載の刈払い機用ロータリカッタ。
【請求項４】
前記弾性体を用いて前記ストッパーによるコードの押圧力を付与する手段として、前記下カムに係合してリールの回転を阻止する側のストッパー端部、またはストッパー中央部に弾性体を装着する方式を用いることを特徴とする請求項２に記載の刈払い機用ロータリカッタ。
【請求項５】
前記弾性体を用いて前記ストッパーによるコードの押圧力を付与する手段として、前記上カムに係合してリールの回転を阻止する側のカバー内面またはケース内面にそれぞれカバーまたはケースと一体に設けたストッパー押しつけ部材を前記弾性体として用いることを特徴とする請求項２に記載の刈払い機用ロータリカッタ。
【請求項６】
前記弾性体を用いて前記ストッパーによるコードの押圧力を付与する手段として、前記上カムに係合してリールの回転を阻止する側の前記ストッパー自体に設けた前記ケースおよび／またはカバーの内面に当接するアーム状部材を前記弾性体として用いることを特徴とする請求項２に記載の刈払い機用ロータリカッタ。
【請求項７】
前記弾性体としてばねまたはゴムを用いることを特徴とする請求項２乃至６のいずれか１項に記載の刈払い機用ロータリカッタ。
【発明の詳細な説明】
【技術分野】
【０００１】
本発明は、原動機等の動力により回転軸を介して回転駆動されるケースの半径方向に延出されたコード（主にナイロン製）により草等の刈払い作業を行なうための刈払い機用ロータリカッタに係り、より詳しくはコードが摩耗して短くなった場合、コードが自動的に引き出される方式の刈払い機用ロータリカッタに関するものである。
【背景技術】
【０００２】
従来、この種のロータリカッタとしては、リールにナイロンコードを収納し、コードが摩耗した時、これを引き出すために、回転中にカッターを地面に押圧したり、叩いてコードを引き出すか、あるいはカッターの回転を上げることによりコードを引出す方式のものが主流であった。しかしながら、カッターを地面に押圧したり、叩いてコードを引き出す方式は小石を飛散させる危険があり、また、カッターの回転を上げる方式は構造が複雑で重量も増し、かつコードの引出しも原動機等の回転を最高位に上げて行なうため、両者共動力源である原動機およびカッターに無理が生じたり、またコードの引出しも不安定で、非常に危険であるという問題があった。
これらの問題を解決するため、出願人は、作業中コードが摩耗して短くなると自動的にコードがリールから繰り出される方式のロータリカッタを先に提案した（特許文献１参照）。この方式は、コードの出代が短くなれば遠心力の変化により作業中でも自動的にコードが繰り出されるため、前記したような押圧や叩く操作、あるいは回転を上げる等の操作を必要とせず、また、構造も簡単であるためコードの交換も簡易にかつ安全に行なうことができるという効果を奏するという特徴を有する。
特許文献１  特開平５−１６８３２８号公報
【発明の開示】
【発明が解決しようとする課題】
【０００３】
しかしながら、前記した従来のロータリカッタの場合は、作業中コードが短くなって自動的に繰出される際、回転による遠心力および刈り草の抵抗等により、ケースに回転可能に内蔵された構成部品の一つであるリングが急速に回され、該リングに取付けられた略Ｕ字形のストッパーがケースに係止するとき強い衝撃力が発生し、該ストッパーが折損するという不具合があった。その対策としてストッパーを太くするとストッパー自体の重量が増し、遠心力が大きくなって意に反して早く作動してコードが長くなり過ぎてしまうという問題が生じた。
【０００４】
本発明は、かかる問題を解決すると共に、構造簡単にしてコードの繰り出し動作の安定化とコードの繰り出し長さ精度の向上がはかられ、さらに常に所望の繰り出し長さを保持することができ、高い作業能率を得ることができるロータリカッタを提供することを目的とするものである。
【課題を解決するための手段】
【０００５】
本発明にかかる刈払い機用ロータリカッタは、回転して草等の刈払いを行なうコードと、該コードを収納しかつ間欠回動しながら該コードを繰り出すリールと、該リールを収納するケースおよび該ケースを覆うカバーとからなり、前記リール外に導出されたコードにより刈り払いを行なうロータリカッタにおいて、前記リールの上段と下段にそれぞれ上カム、下カムが設けられ、該リールの直径とほぼ同じ長さの略Ｕ字形のストッパーが前記ケースの底部中央に径方向にスライド可能に、かつ当該ストッパーの一端は前記上カムに係合してリールの回転を阻止し、同他端は前記下カムに係合して当該ストッパーを径方向に移動させるごとく組込まれ、前記リールに巻回されたコードの一端は前記ストッパーの外側から係合しコードガイドを介して該ロータリカッタの外方に導出され、コードの他端は前記ストッパーに関わりなく該ロータリカッタの外方に導出され、該ロータリカッタの回転中に、外方に導出されているコードが摩耗して短くなると、遠心力により前記ストッパーの一端と上カムとの係合が外れてリールが回転してコードが繰出される仕組みとなし、さらに継続して回転するリールの下カムと係合するストッパーの一端により当該ストッパーが径方向に移動させられリールの一定回転後、上カムとストッパーの一端が再び係合してリールの回転を阻止する仕組みとなしたことを特徴とするものである。
【０００６】
また、本発明は上記構成の刈払い機用ロータリカッタにおいて、コードの繰出し長さをより精度よくかつ安定させるために、前記ストッパーに対して付与されるコードの押圧力を補助するための弾性体を、前記ストッパーに対し常時径方向の押圧力が付与されるように該ロータリカッタ内部に設けることを特徴とするものである。この弾性体を用いて前記ストッパーによるコードの押圧力を付与する手段としては、前記上カムに係合してリールの回転を阻止する側のケース内壁とストッパーとの間に弾性体を配置する方式、前記下カムに係合してリールの回転を阻止する側のストッパー端部、またはストッパー中央部に弾性体を装着する方式、前記上カムに係合してリールの回転を阻止する側のカバー内面またはケース内面にそれぞれカバーまたはケースと一体に設けたストッパー押しつけ部材を前記弾性体として用いる方式、前記上カムに係合してリールの回転を阻止する側の前記ストッパー自体に設けた前記ケースおよび／またはカバーの内面に当接するアーム状部材を前記弾性体として用いる方式等を採用することができる。なお、前記弾性体としては、ばねまたはゴムが一般的である。
【０００７】
刈払い機本体に取付けられたロータリカッタは、通常は適度の長さに繰り出されたコードにより、芝生や雑草を刈り取るが、コードが摩耗し、短くなると切れ味が悪くなり、作業能率が落ちるため、常に引出されたコードの長さを適度に保つ必要がある。このため、本発明では、ロータリカッタの動作中、コードが摩耗し短くなると、該ロータリカッタの回転により生ずる遠心力により前記ストッパーがコードの押付け力に抗して外方へ移動し前記リールの上カムから外れてリールが次のフックまで回転移動し、該リールが回転した分コードが繰り出されると同時に、前記ストッパーがリールの下カムにガイドされてリールの上カムと係合してリールの回転を阻止するごとく構成したものである。
【０００８】
上記構成の刈払い機用ロータリカッタは、コードが摩耗し短くなると自動的にコードが繰り出されて、摩耗する前の長さに復帰する仕組みとなっているが、例えばリールが回転してコードが繰り出されたときその繰り出される速度とコードのストッパー押付け力が増加するのに時間差が生じ、コードのストッパー押付け力が十分に得られない場合には、ロータリカッタの回転により生ずる遠心力によりストッパーが再び外側に移動しリールが回転できる状態となり、コードが余分に繰り出されてしまうことがある。すなわち、コードのストッパー押付け力の増加が遅れた分だけコードが余分に繰り出されてしまうという問題が生ずる場合がある。また、ロータリカッタの低回転時には、コードにかかるテンションが弱くなるためストッパー押付け力が不安定となり、ストッパーが誤作動し易くなる。このため、本発明では、コードが繰り出されてからコードのストッパー押付け力が所望の値に増えるまでストッパーを動き難くするために、ストッパーに対して付与されるコードの押圧力を補助するための弾性体を、ストッパーに対し常時径方向の押圧力が付与されるようにロータリカッタ本体内部に設けることとした。
【発明の効果】
【０００９】
本発明の刈払い機用ロータリカッタは、作業中にコードが摩耗し短くなると該コードの外方延出部の遠心力が弱まるため、このコードにより内方に押し付けられていたストッパーに生じている遠心力が前記コード押し付け力より強くなって当該ストッパーが外方へ移動しリールのカムとストッパーとの係合が外れることにより、コードの遠心力によってコードを巻き戻す方向にリールが回転移動し、次のカムにストッパーが係合するまで回転移動した分コードが自動的に繰り出されて、摩耗する前の長さに復帰する。したがって、本発明によれば、作業中にコードが摩耗し短くなれば、遠心力によりコードが所望長さ自動的に繰り出されるため、従来のような押圧や叩く操作、あるいは回転を上げる等の危険な操作を必要としないだけでなく、重量の増大を招かない程度の太さのストッパーでも回転による遠心力や刈り草の抵抗等により発生する衝撃力で折損することはなく、常に安定して能率的に刈払い作業を行なうことができるという効果を奏する。
【００１０】
また、ロータリカッタの内部にストッパーに対して付与されるコードの押圧力を補助するための弾性体を組込むことにより、コードのストッパー押付け力が十分に得られない場合でもストッパーが外側に移動してコードが余分に繰り出されることがなくなり、コードの繰り出し長さをより精度よくかつ安定させることができると共に、ロータリカッタの低速回転時においてもコードの押圧力がアシストされることによりストッパーの誤作動も皆無となり、常に所定の繰り出し長さを確保することができるという優れた効果を奏する。
【発明を実施するための最良の形態】
【００１１】
図１は本発明に係るロータリカッタの第１実施例を一部切欠いて示す平面図、図２は図１のＡ−Ａ線上の断面図、図３は同上のロータリカッタにおけるリールの上カムとストッパーとの係合状態を示す平面図、図４は同上のロータリカッタにおけるリールの下カムにストッパーがガイドされている状態を示す平面図、図５は同じく本発明の第２実施例を一部切欠いて示す平面図、図６は図５のＢ−Ｂ線上の断面図、図７は同じく本発明の第３実施例を一部切欠いて示す平面図、図８は同じく本発明の第４実施例を一部切欠いて示す平面図、図９は同じく本発明の第５実施例を一部切欠いて示す平面図、図１０は同じく本発明の第６実施例を一部切欠いて示す平面図、図１１は同じく本発明の第７実施例を示す図１相当図、図１２は同じく本発明の第８実施例を示す図１相当図、図１３は同じく本発明の第９実施例を示す図１相当図であり、１はケース、２はカバー、３はリール、３−１は上カム、３−２は下カム、４はコード、５は略Ｕ字形ストッパー、５−１は水平部分、５−２は長尺棒部、５−３は短尺棒部、６−１、６−２はコードガイド、７は原動機等との連結のためのプレート、８ａ、８ｂ、８ｃ、８ｄはばね、８ｅはゴム、９ａ、９ｂはストッパー押しつけ部材、９ｃはアーム状部材である。
【００１２】
まず、図１〜図４に示す本発明の第１実施例のロータリカッタの構造について説明すると、ケース１の底部中央部には、リール３の回転を支持するためのボス部１−１が突設され、外周端部にはコード取出し部を除く部分に円筒壁１−２が設けられ、該円筒壁１−３部にカバー２が外嵌される構造になっている。さらに、カバー２にはプレート７が取付けられ、原動機等の駆動回転軸（図示せず）と連結される。リール３は上段と下段にそれぞれ上カム３−１、下カム３−２が形成され、前記ボス部１−１に回転可能に組付けられ、外周にコード４が巻回されている。前記略Ｕ字形ストッパー５は、水平部分５−１と、該水平部分５−１の両端部の一方に垂直に形成した前記リールの高さより長い長尺棒部５−２と、他方に垂直に形成した前記リールの高さより短い短尺棒部５−３とからなり、前記ケース１の底部および前記ボス部１−１の底部中央に設けられた溝部１−２に該ケース１の径方向にスライド可能に、かつ長尺棒部５−２が前記リールの上カム３−１に、短尺棒部５−３がリールの下カム３−２にそれぞれ係合離脱可能に垂直に嵌合して組込まれている。なお、前記カバー２には略Ｕ字形ストッパー５の長尺棒部５−２の上部が入る溝２−１が設けられている。
リール３に巻回されたコード４の一端は、前記略Ｕ字形ストッパー５の長尺棒部５−２を内方へ押し付けるように該長尺棒部５−２の外側を通してコードガイド６−１より外側へ導出され、該コード４の他端は、略Ｕ字形ストッパー５の短尺棒部５−３の内側を通してコードガイド６−２より外側へ導出されている。
【００１３】
続いて、上記構成のロータリカッタの動作について説明する。
まず、カバー２上方のプレート７に原動機等の駆動回転軸（図示せず）が連結されたロータリカッタは、回転中は外方に引出されたコード４に遠心力が発生し、当該コード４を引出す力が発生するが、コード４は略Ｕ字形ストッパー５の長尺棒部５−２を通して引出されているため該略Ｕ字形ストッパー５はテンションのかかった前記コードにより内方へ押し付けられている。そのため、リール３の上カム３−１に略Ｕ字形ストッパー５の長尺棒部５−２が係合して該リール３の回転が阻止されている。
この状態において、ロータリカッタが動作中、コード４が摩耗し短くなると、該コード４の外方延出部の遠心力が弱まるため、ケース１内のコード４により長尺棒部５−２が内方へ押し付けられていた略Ｕ字形ストッパー５に作用する遠心力が、前記コード４による押圧力より大きくなり該押圧力に抗して略Ｕ字形ストッパー５の水平部分５−１が溝部１−２内を径方向にスライドして外方へ移動する。したがって、それまで略Ｕ字形ストッパー５の長尺棒部５−２によって係止されていたリール３の上カム３−１が開放され、コード４の遠心力により当該コードを巻き戻す方向にリール３が回転移動しコード４が繰り出される。そして、リール３が回転移動すると、略Ｕ字形ストッパー５の短尺棒部５−３がリールの下カム３−２にガイドされることにより、当該ストッパー５が今度は前記と逆方向にスライドし、リール３の次の上カム３−１に該略Ｕ字形ストッパー５の長尺棒部５−２が係止し、リール３の回転が止まりコード４の繰り出しが停止する。  すなわち、本発明では、コードが摩耗して短くなると、遠心力により略Ｕ字形ストッパー５がコード４の押し付け力に抗して移動し、該ストッパーの長尺棒部５−２がリール３の上カム３−１より外れてリール３が次の上カムまで回転移動し、このリールが回転した分コードが繰り出されて長くなり、摩耗する前の状態に復帰する。
なお、カッター回転方向（図１に矢印イで示す）を図示とは逆方向に使用しても同様な作用効果を得ることができることはいうまでもない。
【００１４】
次に、上記構成の刈払い機用ロータリカッタにおいて、コードの繰出し長さをより精度よくかつ安定させるために、前記ストッパーに対して付与されるコードの押圧力を補助するための弾性体を組込んだロータリカッタを図５〜図１３に基づいて説明する。
まず、図５、図６に示す本発明の第２実施例は、前記弾性体を用いて前記ストッパー５によるコードの押圧力を付与する手段として、前記上カム３−１に係合してリール３の回転を阻止する側のケース内壁とストッパー５との間に弾性体を配置する方式を採用するもので、具体的には前記ストッパー５に対して付与されるコード４の押圧力を補助するための弾性体としてばね８ａを用い、前記上カム３−１に係合してリール３の回転を阻止する側のケース１内壁とストッパー５との間に前記ばね８ａを組込む。その際、ばね８ａはケース１の底部端部に突設したピン８ａ−１にそのコイル部分を外嵌すると共に、前記ストッパーに対し常時径方向の押圧力が付与されるように長い方の端部をストッパー５の長尺棒部５−２に、短い方の端部をケース１の内周壁にそれぞれ当接させて組込む。
【００１５】
上記のように上カム３−１に係合してリール３の回転を阻止する側のケース１内壁とストッパー５との間に前記ばね８ａを組込むことにより、コード４が繰り出されてからストッパー５に対して付与される該コード４の押圧力が弱くても、ストッパー５が前記ばね８ａにより補助的に押圧されて動き難くなっているため、該ストッパー５が再び外側に移動してコード４が余分に繰り出されることがなくなり、コード４の繰り出し長さをより精度よくかつ安定させることができる。また、ロータリカッタの低速回転時においてもコード４の押圧力がアシストされることによりストッパー５の誤作動も皆無となり、常に所定の繰り出し長さを確保することができる。
【００１６】
同じく図７に示す本発明の第３実施例は、前記弾性体を用いて前記ストッパーによるコードの押圧力を付与する手段として、前記図５、図６に示す本発明の第２実施例に示すばね８ａに替えてコイルばね８ｂを採用するもので、その取付け手段としては、ストッパー５の長尺棒部５−２と相対向するケース１の内周壁に突設したガイド８ｂ−１に前記コイルばね８ｂをストッパー５に対し常時径方向の押圧力が付与されるように組込んだ構成となしたもので、前記コイルばね８ｂの作用により前記図５、図６に示すロータリカッタと同様の作用効果が得られる。
【００１７】
同じく図８に示す本発明の第４実施例は、前記弾性体を用いて前記ストッパーによるコードの押圧力を付与する手段として、ストッパー５自体にコイル状のばね８ｃを装着する方式を採用するもので、その構造はストッパー５の水平部分５−１の短尺棒部５−３と、ケース１のボス部１−１の付け根部に突設したストッパー５のガイド部８ｃ−１との間に前記コイル状のばね８ｃをストッパー５に対し常時径方向の押圧力が付与されるように該ストッパー５自体に装着した構成となしたもので、この場合も前記コイルばね８ｃの作用により前記図５、図６に示すロータリカッタと同様の作用効果が得られる。
【００１８】
同じく図９に示す本発明の第５実施例は、前記弾性体を用いて前記ストッパーによるコードの押圧力を付与する手段として、前記図８に示す実施例と同様にストッパー５自体にコイル状のばね８ｄを装着する方式を採用するもので、その構造はストッパー５の水平部分５−１の略中央部に固着した円板状のばね座８ｄ−１とケース１のボス部１−１の付け根部との間に前記コイル状のばね８ｄをストッパー５に対し常時径方向の押圧力が付与されるように該ストッパー５自体に装着した構成となしたもので、本実施例においても前記コイルばね８ｄの作用により前記図５、図６に示すロータリカッタと同様の作用効果が得られる。
【００１９】
同じく図１０に示す本発明の第６実施例は、前記弾性体を用いて前記ストッパーによるコードの押圧力を付与する手段として、前記ばねに替えてゴムを採用するもので、その構造は前記図７に示す第３実施例におけるコイルばね８ｂに替えてゴム８ｅを用いた以外は、図７に示す第３実施例と同様の構成を有する。すなわち、ストッパー５の長尺棒部５−２と相対向するケース１の内周壁に突設したガイド８ｅ−１に前記ゴム８ｅをストッパー５に対し常時径方向の押圧力が付与されるように組込んだ構成となしたもので、本実施例においても前記ゴム８ｅの作用により前記図５、図６に示すロータリカッタと同様の作用効果が得られる。
【００２０】
同じく図１１に示す本発明の第７実施例は、前記弾性体を用いて前記ストッパーによるコードの押圧力を付与する手段として、カバーの一部を弾性体として使用する方式であり、その構造は前記上カム３−１に係合してリール３の回転を阻止する側のカバー２に設けられたストッパー５の長尺棒部５−２の上部が入る溝２−１の水平面部に、ストッパー５の長尺棒部５−２に当接して該ストッパー５に対し常時径方向の押圧力が付与されるように該カバー２と一体にストッパー押しつけ部材９ａを設けた構成としなしたもので、本実施例においても前記ストッパー押しつけ部材９ａの作用により前記図５、図６に示すロータリカッタと同様の作用効果が得られる。
【００２１】
同じく図１２に示す本発明の第８実施例は、前記弾性体を用いて前記ストッパーによるコードの押圧力を付与する手段として、ケースの一部を弾性体として使用する方式であり、その構造は前記上カム３−１に係合してリール３の回転を阻止する側のケース１の底部に、ストッパー５の長尺棒部５−２に当接して該ストッパー５に対し常時径方向の押圧力が付与されるように該ケース１と一体にストッパー押しつけ部材９ｂを設けた構成としなしたもので、本実施例においても前記ストッパー押しつけ部材９ｂの作用により前記図５、図６に示すロータリカッタと同様の作用効果が得られる。
【００２２】
同じく図１３に示す本発明の第９実施例は、前記弾性体を用いて前記ストッパーによるコードの押圧力を付与する手段として、ストッパーの一部を弾性体として使用する方式であり、その構造はストッパー５の長尺棒部５−２の端部にこの側のケース１および／またはカバー２の内面に当接するアーム状部材９ｃを該ストッパー５に対し常時径方向の押圧力が付与されるように設けた構成としなしたもので、本実施例においても前記アーム状部材９ｃの作用により前記図５、図６に示すロータリカッタと同様の作用効果が得られる。
【産業上の利用可能性】
【００２３】
本発明の刈払い機用ロータリカッタは、作業中にコードが摩耗し短くなると該コードの外方延出部の遠心力が弱まるため、このコードにより内方に押し付けられていたストッパーに生じている遠心力が前記コード押し付け力より強くなって当該ストッパーが外方へ移動しリールのカムとストッパーとの係合が外れることにより、コードの遠心力によってコードを巻き戻す方向にリールが回転移動し、次のカムにストッパーが係合するまで回転移動した分コードが自動的に引出されて、摩耗する前の長さに復帰する仕組みとなしたものであるから、従来のような押圧や叩く操作、あるいは回転を上げる等の危険な操作を必要としないだけでなく、重量の増大を招かない程度の太さのストッパーでも回転による遠心力や刈り草の抵抗等により発生する衝撃力で折損することはなく、常に安定して能率的に刈払い作業を行なうことができる。
また、ロータリカッタの内部にストッパーに対して付与されるコードの押圧力を補助するための弾性体を組込むことにより、コードのストッパー押付け力が十分に得られない場合でもストッパーが外側に移動してコードが余分に繰り出されることがなくなり、コードの繰り出し長さをより精度よくかつ安定させることができると共に、ロータリカッタの低速回転時においてもコードの押圧力がアシストされることによりストッパーの誤作動も皆無となり、常に所定の繰り出し長さを確保することができる。
したがって、本発明の刈払い機用ロータリカッタは、芝生や雑草の刈り払い機用として極めて実用性に富むものである。
【図面の簡単な説明】
【００２４】
【図１】本発明に係るロータリカッタの第１実施例を一部切欠いて示す平面図である。
【図２】図１のＡ−Ａ線上の断面図である。
【図３】同上のロータリカッタにおけるリールの上カムとストッパーとの係合状態を示す平面図である。
【図４】同上のロータリカッタにおけるリールの下カムにストッパーがガイドされている状態を示す平面図である。
【図５】同じく本発明の第２実施例を一部切欠いて示す平面図である。
【図６】図５のＢ−Ｂ線上の断面図である。
【図７】同じく本発明の第３実施例を一部切欠いて示す平面図である。
【図８】同じく本発明の第４実施例を一部切欠いて示す平面図である。
【図９】同じく本発明の第５実施例を一部切欠いて示す平面図である。
【図１０】同じく本発明の第６実施例を一部切欠いて示す平面図である。
【図１１】同じく本発明の第７実施例を示す図１相当図である。
【図１２】同じく本発明の第８実施例を示す図１相当図である。
【図１３】同じく本発明の第９実施例を示す図１相当図である。
【符号の説明】
【００２５】
１  ケース
２  カバー
３  リール
３−１  上カム
３−２  下カム
４  コード
５  略Ｕ字形ストッパー
５−１  水平部分
５−２  長尺棒部
５−３  短尺棒部
６−１、６−２  コードガイド
７  原動機等との連結のためのプレート
８ａ、８ｂ、８ｃ、８ｄ  ばね
８ｅ  ゴム
９ａ、９ｂ  ストッパー押しつけ部材
９ｃ  アーム状部材
【図１】
2007312769.tif 000003
【図２】
2007312769.tif 000004
【図３】
2007312769.tif 000005
【図４】
2007312769.tif 000006
【図５】
2007312769.tif 000007
【図６】
2007312769.tif 000008
【図７】
2007312769.tif 000009
【図８】
2007312769.tif 000010
【図９】
2007312769.tif 000011
【図１０】
2007312769.tif 000012
【図１１】
2007312769.tif 000013
【図１２】
2007312769.tif 000014
【図１３】
2007312769.tif 000015